(57)【特許請求の範囲】
【請求項１】
手動計量装置であって、
支持構造としての細長いフレーム（１）と、
前記フレーム（１）の下端に配置されるシリンジまたはピペットチップを取り外し可能な保持手段（８、３０．１、３０．２、３５）と、
前記フレーム（１）に取り外し可能な前記保持手段（８、３０．１、３０．２）の上に取り付けられる駆動手段（３６、４１）と、
前記駆動手段（３６、４１）によって駆動されるとともに、取り外し可能な前記保持手段（８、３０．１、３０．２、３１．１―３１．４、３５）に連結されるシリンジまたはピペットチップの液体を変位させる少なくとも１個の変位手段（３４）と、
前記フレーム（１）を覆うハウジング（２４）を備え、
前記フレーム（１）は、間隔を置いて平行した長手方向部材（５．１、５．２、６．１、６．２）を備え、
平行した前記長手方向部材（５．１、５．２、６．１、６．２）は、その下端で取り外し可能な前記保持手段（８、３０．１、３０．２、３１．１―３１．４）によってシリンジまたはピペットチップを接続され、
平行した前記長手方向部材（５．１、５．２、６．１、６．２）は、その下端で支持板（８、５０）に接続される。
【請求項２】
請求項１に記載の手動計量装置において、
前記フレーム（１）は、複数本のフレームパーツ（２、３）を互いに連結固定して構成されている。
【請求項３】
請求項２に記載の手動計量装置において、
前記フレームは、下パーツ（２）および上パーツ（３）から成る。
【請求項４】
請求項２または請求項３に記載の手動計量装置において、
異なる前記フレームパーツ（２、３）は、接続構造体（１０．１、１０．２、１２）を備え、
当該接続構造体（１０．１、１０．２、１２）は、互いに接続される固定手段（２２．１、２２．２）を備えている。
【請求項５】
請求項１ないし請求項４のいずれかに記載の手動計量装置において、
前記フレーム（１）は、間隔を置いて平行した長手方向部材（５．１、５．２、６．１、６．２）を備えている。
【請求項６】
請求項２ないし請求項５のいずれかに記載の手動計量装置において、
複数本の前記フレーム部（２，３）は、平行した長手方向部材（５．１、６．１；５．２、６．２)から成る。
【請求項７】
請求項６に記載の手動計量装置において、
前記フレーム（１）は、２本の平行した長手方向部材（５．１、５．２、６．１、６．２）を備えている。
【請求項８】
請求項５ないし請求項７のいずれかに記載の手動計量装置において、
平行した前記長手方向部材（５．１、５．２、６．１、６．２）は、その下端で取り外し可能な前記保持手段（８、３０．１、３０．２、３１．１―３１．４）によってシリンジまたはピペットチップを接続される。
【請求項９】
請求項８に記載の手動計量装置において、
平行した前記長手方向部材（５．１、５．２、６．１、６．２）は、その下端で支持板（８）に接続される。
【請求項１０】
請求項９に記載の手動計量装置において、
前記支持板（８）は、前記長手方向部材（５．１、５．２、６．１、６．２）の下端でフォーク形状の接続領域（７．１、７．２）を介して接続される。
【請求項１１】
請求項１ないし請求項１０のいずれかに記載の手動計量装置において、
平行した前記長手方向部材（５．１、５．２、６．１、６．２）は、軸受プレート（１５）によって上部で互いに接続している。
【請求項１２】
請求項１ないし請求項１１のいずれかに記載の手動計量装置において、
平行した前記長手方向部材（５、６）は、十字形ブレース（１３）によってそれらの端部間を架橋されている。
【請求項１３】
請求項１２に記載の手動計量装置において、
滑り路（１４）が、ロッド形状の伝達手段（３４）のために十字形ブレース（１３）に組み込まれている。
【請求項１４】
請求項１ないし請求項１３のいずれかに記載の手動計量装置において、
前記フレーム（１）は、側面から突出する２個の軸受ブロック（１６．１、１６．２）を備え、
前記ハウジング（２４）は、横方向の凸面（２５）に当該軸受ブロック（１６．１、１６．２）を収容する。
【請求項１５】
請求項１ないし請求項１３のいずれかに記載の手動計量装置において、
前記ハウジング（２４）は、前記フレーム（１）の長手方向に分割され、前記フレーム部（２４．１、２４．２）が互いにスナップ係合している。
【請求項１６】
請求項１ないし請求項１５のいずれかに記載の手動計量装置において、
前記ハウジング（２４）は、細長いフレーム（１）の長手方向に前記フレーム（１）に案内させる。
【請求項１７】
請求項１ないし請求項１６のいずれかに記載の手動計量装置において、
前記ハウジング（２４）は、ポリプロピレンまたは他のポリオレフィンから成る。
【発明の詳細な説明】
【技術分野】
【０００１】
本発明は液体を計量するための手動計量装置に関する。
【背景技術】
【０００２】
手動計量装置は、シリンジまたはピペットチップを着脱可能に保持できる液体計量装置である。シリンジは、その内部で移動するシリンジ・プランジャを備えたシリンジ・シリンダを有し液体を吸引および排出するための環境に接続する開口を有する。当該開口は、通常、シリンジ・シリンダの底でチップに位置合わせされる。ピペットチップは、一般に下向きに狭くなる小さい管であり、かつ、液体の吸引および排出をするための底部開口と、気体変位装置が接続される上部開口を有する。手動計量装置に保持されるシリンジまたはピペットチップが、吸引または排出される液体を容器または他の物体と位置合わせできるように、当該手動計量装置は、投与する間にユーザーによって片手で保持される。ユーザーは、液体の吸引および排出を操作可能であるが、手動計量装置を保持する同じ手で追加の機能を操作することができない。手動計量装置は、特に液体の投与のために研究室で使われる。
【０００３】
手動計量装置は、エアクッション式の計量装置および容積式の計量装置として設計される。エアクッション式の計量装置は、上端開口でピペットチップを着脱可能に持する座部を有する。エア変位装置は、手動計量装置に内蔵されており、流路によって連通し、座部の孔に接続している。エアクッションの変位方向に応じて下端開口から液体が吸引または排出されるように、エアクッションは、変位装置によって変位する。変位装置は、通常、その内部に変位可能なプランジャを有するシリンダである。プランジャは、駆動ユニットによって動かされる。エアクッションで機能する手動計量装置は、「ピペット」と称される。
【０００４】
容積式変位装置は、シリンジとともに動く。シリンジは、容積変位換装置に連結または解除可能である。シリンジ・シリンダは、容積式の計量装置に保持され、シリンジ・プランジャは、駆動ユニットによって変位可能な座部本体に保持される。駆動ユニットによって、液体がシリンジの開口から吸引または開口から排出されるように、シリンジ・プランジャは前後に移動する。ピペットチップとして同程度のサイズおよび形状を有する小さいシリンジとともに作動する直接変位装置は、「直接変位ピペット」とも称される。
【０００５】
通常、数ステップで空にされる大きなシリンジとともに作動する直接変位式の計量装置は、「ディスペンサ」とも称される。
【０００６】
ピペットチップおよびシリンジは、好ましくプラスチック製であり、利用して新しいピペットチップまたはシリンジと交換された後に、捨てることができる。
【０００７】
周知の手動計量装置は、機械式駆動ユニットまたは電気機械駆動ユニットを備えている。加えて、電気機械支持体（「サーボ駆動ユニット」）を有する手動駆動ユニットを備えた手動計量装置が、周知である。加えて、一定の投与量の手動計量装置および可調投与量の手動計量装置がある。さらにまた、単一のシリンジまたはピペットチップ用に１本だけの流路を有する手動計量装置および複数本のシリンジまたはピペットチップと同時に使用するための複数本の流路を有する手動計量装置がある。本発明は、上記タイプの全ての手動計量装置に関する。
【０００８】
従来の手動計量装置は、硬質プラスチック製のハンドルとして形成されたハウジングを備えている。これらは、シリンジまたはピペットチップを保持する手段、駆動装置、プランジャまたはシリンジに対して駆動装置の運動を引き起こす伝達手段、または、エアクッション変位用の変位装置、可動要素および場合によってはディスプレイ要素または他の構成要素を含む。電気駆動型の手動計量装置の場合、電気駆動モータ、電子制御装置および電池または充電式バッテリが、ハウジングに配置される。したがって、複数個の構成要素は、手動計量装置のハウジングの非常に小さい空間に収容される。当該ハウジングは、周知の手動計量装置の支持構造と同時に形成する。
【０００９】
ＥＰ ２ ０３３ ７１２ Ａ２は、シリンジのシリンジ・フランジ用のハウジングの下端領域に座部を有するディスペンサを記載している。シリンジ・フランジは、ハウジングの下部領域の枢支軸に取り付けられるシリンジ握持レバーによって保持される。複数本の板ばねは、ハウジングの内側ジャケットに配置され、それらの上端は、ハウジングの下部領域に固定される。板ばねの下端は、シリンジ・フランジを後方で握持する位置に向けて、プレテンションをシリンジ握持レバーの内部に対して押圧する。
【００１０】
ばね付勢スラスト軸受は、シリンジ・フランジの上側を押圧可能な座部に配置される。スラスト軸受は、シリンジ・フランジの上側のコードを走査するセンサを備えている。
【００１１】
プランジャ座を有する座部本体は、シリンジのシリンジ・プランジャの上向きに突き出している端部を嵌入可能なハウジングに配置される。プランジャ握持レバーは、シリンジ・プランジャの外端のプランジャのカラーの後方で把持可能な座部本体に取り付けられる。プランジャ握持レバーは、それらがプランジャ・カラーの後方で握持する位置に向かう複数本の脚ばね（legs springs）によってプレテンションが付与される。
【００１２】
座部本体は、機械式プランジャ位置決め要素によって駆動される。これらは、ハウジングから伸びる座部本体に接続しているリフティング・ユニットから成る。さらにまた、プランジャ位置決め要素は、座部本体にも確実に取り付けられるねじスピンドルまたはラックを含む。調節用スリーブは、ねじスピンドルに着席し、その軸位置は、調整ノブによってねじスピンドルで調節可能にされている。枢支作動レバーを備え、作動ボタンによって外側から動かすことが可能な作動ユニットが、ハウジングの上部領域に配置されている。歯止めが、作動レバー上に回動可能に配置される。
作動レバーは、ばねによって上向きに押圧され、歯止めは、ねじスピンドルに向かうばねによってプリテンションが付与される。
【００１３】
作動ユニット、調整ノブおよびスピンドルは、ハウジングに嵌入される横に突き出しているベアリング・ブラケットを有するプレートのような保持具に取り付けられる。
【００１４】
シリンジが、シリンジ座部に嵌入され、シリンジ握持レバーおよびプランジャ握持レバーによってハウジングを保持するとき、リフティング・ユニットを動かすことによって液体を上向きに吸引することができる。注入量は、調整ノブを使用して調整される。作動ユニットを作動させることによって、シリンジ・プランジャが下方へ移動し、所望量の液体が放出される。各作動ストロークについて、歯止めが調節用スリーブの下端に到達するとき、当該歯止めが、ねじ螺杆に入る。排出される注入量は、調整ノブを使用している調節用スリーブを調整することによってセットされる。
【００１５】
【特許文献１】欧州特許公報ＥＰ ２ ０３３ ７１２ Ａ２
【特許文献２】欧州出願公開公報ＥＰ２ ０３３ ７１２1 Ａ１
【特許文献３】ドイツ国出願公開公報ＤＥ １０ ２００９ ０３４８９７ Ａ
【特許文献４】欧州出願公開公報ＥＰ ０ ６５６ ２２９ Ｂ１
【特許文献５】米国出願公開公報ＵＳ ５，６２０，６６０Ａ
【特許文献６】欧州出願公開公報ＥＰ ０ ６５７ ２１６ Ｂ１
【特許文献７】米国出願公開公報ＵＳ ５，６２０，６６１Ａ
【特許文献８】欧州出願公開公報ＥＰ ２ ０３３ ７１２ Ａ１
【特許文献９】米国出願公開公報ＵＳ２００９／１３９３５１ Ａ１
【発明の開示】
【発明が解決しようとする課題】
【００１６】
しかしながら、上記特許文献１の場合、ホルダがハウジングに挿入される前に、作動ユニット、調整ノブおよびスピンドルは、ホルダに予めマウントすることができる。付加的な要素は、ホルダ部分ではなく、ホルダに取り付けられる。特に、シリンジ・フランジ用のホルダは、ハウジングの一部である。ばねにより引っ張られたスラスト軸受、シリンジ握持レバーおよび板ばねは、ハウジングに取り付けられる。シリンジ保持手段は、ハウジング内のホルダによって別に取り付けられなければならない。したがって、シリンジへの液体の吸引、および、シリンジからの液体の吐出は、シリンジ保持手段に強い力を及ぼすのでハウジングは、非常に強固なければならない。これは、使用可能な材料の選択を制限する。
【００１７】
周知の手動計量装置の短所は、ハウジングがよく手に合わず、容易に汚れたり、および、掃除したりするのが困難である。
【課題を解決するための手段】
【００１８】
この事情に鑑みて、本発明は、この背景に対して、本発明の目的は、触感を改良された手動計量装置を作製することである。
【００１９】
この目的は、請求項１の特徴を有する手動注入装置によって達成される。手動計量装置の有利な実施態様は、従属クレームに記載されている。
【００２０】
本発明による手動計量装置は、
支持構造としての細長いフレームと、
前記フレームの下端に配置されるシリンジまたはピペットチップを取り外し可能な保持手段と、
前記フレームに取り外し可能な前記保持手段の上に取り付けられる駆動手段と、
前記駆動手段によって駆動可能で、かつ、取り外し可能な前記保持手段に接続させるシリンジまたはピペットチップ内の流体を変位させるための少なくとも１つの変位手段と、
前記フレームを覆っているハウジングを備え、
前記フレーム（１）は、間隔を置いて平行した長手方向部材（５．１、５．２、６．１、６．２）を備え、
平行した前記長手方向部材（５．１、５．２、６．１、６．２）は、その下端で取り外し可能な前記保持手段（８、３０．１、３０．２、３１．１―３１．４）によってシリンジまたはピペットチップを接続され、
平行した前記長手方向部材（５．１、５．２、６．１、６．２）は、その下端で支持板（８、５０）に接続される。
【００２１】
本発明による手動計量装置の前記支持構造は、細長いフレームである。シリンジまたはピペットチップを取り外し可能な前記保持手段は、フレーム上に配置される。それらは、フレームの一部であるか、或いはフレームに取りつけられる。駆動手段は、フレームに取り付けられる。取り外し可能な保持手段および駆動手段は、変位手段によって互いに接続している。あるバージョンにおいて、変位手段は、シリンジのシリンジ・プランジャに駆動手段によって発生する運動を伝達する伝達手段である。この目的で、変位手段は、シリンジ・プランジャを着脱可能な前記保持手段に、取り外し可能に接続している。駆動手段が線形運動を発生するとき、伝達手段は、当該駆動手段によって作動可能であり、シリンジ・プランジャを取り外し可能な保持手段に接続し、フレームの軸方向に案内されるロッドである。容積式注入装置は、これにより達成される。他のバージョンにおいて、変位手段は、気柱を変位させるための変位装置である。変位装置は、好ましくはその中で変位可能なシリンダおよびプランジャである。シリンダは、取り外し可能な保持手段がピペットチップを保持するとき、当該ピペットチップの上端開口と連通する流路を介して取り外し可能な保持手段に接続している。変位装置は、フレームに固定される。フレームに交換可能であるプランジャを有するシリンダとして設計されるとき、シリンダは当該フレームに固定される。エアクッション式計量装置は、これによって実現される。吸引および排出される液体量は、プランジャまたは気柱が変位手段によって変位される量によってセットされる。シリンダおよび交換可能なプランジャを内部に有するエアクッション式計量装置において、変位手段は、好ましくは、プランジャに接続されているロッドを有するとともに、上端に押しボタンおよびフレームに対し、または、プランジャまたは押圧ボタンに対して押圧する戻しばねを備えている。戻しばねの作用に対して押しボタンを作動させることによって変位装置から空気が放出可能なホームポジションである上に向けてプランジャを、当該戻しばねが押圧する。
【００２２】
駆動手段が変位手段を動かすときに、力はフレームにもたらされる。変位手段がシリンジ・プランジャに運動を伝達する伝達手段である場合、これらの力は、駆動手段およびシリンジ・フランジをフレームに着脱可能な保持手段によって伝達される。変位手段が変位装置であるとき、これらの力は、当該変位装置とフレームの間と同様に駆動手段とフレームの間で作用する。これらの力は、特に注入される液体の量および粘性に依存する。及ぼされた当該力の下で著しく変形しないように、フレームは設計される。これは、変位手段の動作要素が所望の精度で再現的に移動することを確実にする。所望の注入精度は、このことにより達成される。シリンジまたはピペットチップが、手動計量装置に接続されるときの力が、フレームによっても吸収される。フレームは、好ましくはその大きな安定性によって特徴づけられるポリエーテル・ケトン（ＰＥＥＫ）によって形成される。ハウジングは、当該ハウジングへの応力を軽減するために、好ましくは２、３点でフレームに取り付けられる。フレームは、ハウジングへの過剰な力の伝達なしに、当該ハウジングに対して長手方向に伸縮可能になるよう、当該ハウジングは、フレームの長手方向に案内されるとともに、数点（単に１箇所または２箇所）で固定されることが好ましい。したがって、使用している間に生じている力は、フレームによって実質的に吸収され、これによってハウジングへの応力が軽減される。
【００２３】
フレームの特定の特性は、デザイナーにとってハウジング材料、デザインおよび寸法の選択をかなり自由なものにする。手動計量装置の触感が、とりわけ良くなるように、柔らかいハウジング材料、デザインおよびハウジング寸法を特に使用可能である。したがって、フレームのデザインは、改良された触感を有するとりわけ柔らかいハウジングを使用することを可能にする。フレームは、ハウジングを部分的に支持するだけである。特に、とりわけ容易に成形可能にデザインされる支持されないハウジングの領域は、ユーザーの手でこのような手動計量装置を保持することにより、触感がよいと認められる。フレームの特別な特性は、特別な耐薬品性、および／または、汚れ難く、および／または、容易に清掃することができ、および／または、より容易に加工可能であり、および／または、特に経済的であるハウジング材料を使用することをも可能にしている。特に、手動計量装置の制御要素を作動させるとき、ハウジングに負荷がかからないように、ユーザーの手によってもたらされるハウジングへの力は、広い面積にわたって吸収されるとともに、フレームに伝達される。他の効果は、ハウジングを取りつける前に、フレームに手動計量装置の構成要素を予め実装し、当該手動計量装置をテストすることを可能にする支持構造として当該レームを使用することである。さらに、本発明の手動計量装置に基づくデザインは、異なる手動計量装置の共通部品（ＣＯＰｓ）の使用を容易にする。特に、異なる手動計量装置は、製品に応じて異なる構成要素を備えている同じフレームを提供することができる。異なる製品は、異なるハウジングと任意に識別されることができる。
【００２４】
一実施態様によれば、フレームは接続され、互いに確りと接続される複数個のフレームパーツを備えている。当該フレームを複数個のフレームパーツに分けることは、異なるフレームパーツに構成要素を個別に前もって取り付けを可能とし、これによって個々のアセンブリを準備することを可能にする。さらに、個別に準備される手動計量装置は、それぞれ同等のフレームおよび部分的に異なるフレームで構成することができる。好適な実施形態によれば、前記フレームは、下部分および上部分を有する。前記フレームの下部分は、好ましくはシリンジまたはピペットチップを取り外し可能な保持手段を備え、上部分は、好ましくは駆動手段および変位手段を備えている。
【００２５】
他の実施態様によれば、下部分と上部分は、接続構造体を連結させ、これらの接続構造体は、互いに接続する固定手段を備えている。当該接続構造体は、例えば、異なるフレームパーツに接続されるはと目であり、互いに重なり合って、ピンによって接続される。
【００２６】
好適な実施形態によれば、フレームは、間隔を置いて平行した長手方向部材を備えている。駆動手段が作動するときに、主に軸方向の力が作用する。これらは、長手方向部材に伝達される。長手方向部材は、ハウジング側のユーザーの手によって及ぼされる力を吸収することもできる。さらに、長手方向部材の効果は、それらがスペースをとらない方法でハウジングに収容させることができる。したがって、本発明による手動計量装置は、特にコンパクトに設計することができる。フレームの複数個のフレームパーツは、平行した長手方向部材を有することができる。
【００２７】
好適な実施の形態によれば、手動計量装置は、２本の平行した長手方向部材を備えているだけである。
【００２８】
好適な実施形態によれば、長手方向部材は、フレームの下部分および／または上部分にある。
【００２９】
他の実施態様によれば、長手方向部材は、シリンジまたはピペットチップを取り外し可能な保持手段の下端に接続される。他の実施態様によれば、ロードキャリアは、支持板を有する下端に接続される。前記支持板は、シリンジまたはピペットチップを着脱可能な保持手段の構成要素の１つである。支持板は、シリンジのシリンジ・フランジ用のストッパまたはピペットチップの座部用のキャリアを形成することができる。支持板がシリンジ・フランジ止めである場合、おおよそ一実施態様の環状ディスクの形状に設計される。
【００３０】
一実施態様によれば、支持板は、長手方向部材の下端にフォーク形状の接続領域を介して接続される。フォーク形状の接続領域は、不均等な荷重による支持板のチッピングを防止する。
【００３１】
他の実施態様によれば、平行した前記長手方向部材は、１枚の軸受プレートの上端で互いに接続している。他の実施態様によれば、手動計量装置のための操作手段または表示手段は、軸受プレートに固定される。
【００３２】
他の実施態様によれば、平行した前記長手方向部材は、十字形ブレースによって下端および上端の間を架橋される。他の実施態様によれば、滑り路は、ロッド形状の変位手段用の十字形ブレースに一体化される。
【００３３】
他の実施態様によれば、十字形ブレースは、上部の平行したロードキャリアの下端に配置される。
【００３４】
他の実施態様によれば、前記フレームは、片方側に突き出している２個の軸受ブロックを備え、ハウジングは、横方向の凸状の軸受ブロックを収容する。特に、手動計量装置がディスペンサとして設計されるときに、軸受ブロックは、機械的または電気的に駆動する手動計量装置の作動レバーを支持するのに役立つ。作動レバーが親指によって作動するとき、手動計量装置が人さし指または隣接する掌の上端で静止するので、ハウジングの凸面が、手レストとして利用することもできる。凸面の領域で、ハウジングは、オーバーローディングを防止する軸受ブロックによって支持される。
【００３５】
一実施形態によれば、軸受ブロックは、フレームの上部の２本の平行な長手方向部材から突出している。
【００３６】
一実施形態によれば、ハウジングは、フレームの長手方向に分割され、フレームパーツは、スナップ接合を有する。好適な実施形態によれば、ハウジングは、２つに分割される。好適な実施の形態によれば、ハウジングは、２本の長手方向部材と平行および／または軸受ブロックに垂直に延びる平面で分割される。
【００３７】
他の実施態様によれば、ハウジングは、細長いフレームの長手方向のフレームに案内される。これは、フレームの長手方向への膨張からハウジングの変形の補正を可能にする。他の実施態様によれば、フレームは、下端または上端でハウジングにねじで止められる。収容パーツは、好ましくは一緒にスナップ係合され、さらにフレームは、ハウジングにねじで止められる。
【００３８】
さらなる実施態様によれば、ハウジングは、ポリプロピレンまたは他のポリオレフィンで作成される。
【００３９】
実施態様によれば、この手動計量装置は、ロッド形状である。したがって、この手動計量装置は、ロッドの形状を有する。この手動計量装置は、ユーザーによってちょうど片手で保持可能であるとともに、同じ手によって操作可能となる大きさにされる。
【００４０】
本発明は、例示的実施形態の図面に基づいて更に詳細に以下に記載されている。
【図面の簡単な説明】
【００４１】
【図１】斜視図は、本発明の手動計量装置のフレーム部分の分解斜視図である。
【図２】図１の組み立てられたフレームパーツの上斜め横からの斜視図である。
【図３】図２のフレームが挿入されたハウジングの縦断斜視図である。
【図４】構成要素を備えた図２のフレームを示す図である。
【図５】構成要素を備えた図４のフレームが挿入されたハウジングの縦断斜視図である。
【図６】図４のフレームを備えた左側からの詳細図である。
【図７】本発明の他の手動計量装置の縦断面図である。
【図８】図７の線ＶＩＩＩ−ＶＩＩＩに沿った同じ手動計量装置の断面図である。
【発明を実施するための形態】
【００４２】
この実施例において、用語「下部」および「上部」は、長尺状ハウジングが、垂直に位置合わせされ、シリンジまたはピペットチップが、ハウジングの下に配備されて計量するときの手動計量装置の好適な配置を示す。
【００４３】
図１〜６に示される手動計量装置は、ディスペンサ、すなわち、シリンジが複数ステップで空にされることが可能な容積式計量装置である。
【００４４】
図１によれば、フレーム１は、下パーツ２と上パーツ３から成る。上パーツ３は、ダイヤルを保持するカバー４に割り当てられている。
【００４５】
下パーツは、２本の平行したストリップ形の長手方向部材５．１、６．１から構成されている。これらは、環状ディスク形状の支持板８に、フォーク形状の接続領域７．１、７．２を介して下端部に接続されている。軸受スリーブ９．１、９．２、９．３、９．４が、支持板８から突き出ている。各長手方向部材５．１、６．１は、上端で環状ディスク形状のはと目１０．１，１０．２に接続している。
【００４６】
一方で、２本の長手方向部材は、ＥＰ２ ０３３ ７１２1 Ａ１で詳細に説明したように、中心解放スライダを導くことができる平行したゲートガイド１１．１、１１．２を支持する。
【００４７】
上パーツ３は、２本の平行したストリップ形状の長手方向部材５．２、６．２を有する。これらは、一対の同心の環状ディスク形状のはと目１２．１、１２．２を下部にそれぞれ備えている。それらは、交差ブレース１３によって下部でも架橋されている。中央において、交差ブレース１３は、他の長手方向部材５．２、６．２と平行してラック用の滑り溝として機能する通路を有する滑り溝１４を有している。上パーツ３の上端で、２本の長手方向部材５．２、６．２の間隔は、ベアリングプレート１５によって架橋される。
【００４８】
交差ブレース１３とベアリングプレート１５の間に、プレートのような軸受ブロック１６．１、１６．２が、他の長手方向部材５．２、６．２の一方側から他方側に突出しており、安定化のために外側に助骨をつけられている。下端で、軸受ブロックは、内向き正対で互いに面一のベアリングアイ（bearing eye）１７．１、１７．２を備えている。
【００４９】
ベアリングプレート１５の側面に、さらなる軸受スリーブ１８．１、１８．２が、カバー４を固定するために、長手方向部材５．２、６．２に一体成形されている。
【００５０】
ベアリングプレート１５の上側は、バネベアリングおよびダイヤル（投与量を調整するために）のガイド外形を受ける凹部２０．１、２０．２を成形してある。
【００５１】
他の長手方向部材５．２、６．２の側面から突出しているベアリングピン２１．１の、２１．２、２１．３、２１．４が、軸受ブロック１６．１，１６．２の反対側にある。
【００５２】
図２によれば、上パーツ３および下パーツ２は、他の長手方向部材５．２、６．２の下端で一対のはと目１２．１、１２．３の間に長手方向部材５．１、６．１の上端のはと目１０．１、１０．２を嵌入するとともに、はと目１０．１，１０．２，１２．１，１２．２にねじ２２．１，２２．２を螺入することよって明確な関係で接合されている。さらに、カバー４は、軸受スリーブ１８．１，１８．２とカバー４の保持プレート２３．１、２３．２にネジ２２．３、２２．４を螺入することにより上パーツ３に固定される。
【００５３】
このように形成される長い、細長いフレーム１は、薄いて柔らかい材料（例えば、ポリプロピレン）からなる、図３に示す、二部ハウジング２４に嵌入される。当該ハウジングは、シェル形状の収容パーツ２４．１、２４．２の２個を接合して形成されている。図３の下部シェル形状の収容パーツ２４．１は、上部シェル形状の収容パーツ２４．２よりも下にある。当該収容パーツは、はめ込み可能なように互いに接合するために端部にスナップ結合手段を有する。さらに、フレーム１は、フレームの上パーツ３と下パーツ２を一緒にネジ２２．１，２２．２で締めすることによって２個のハウジング２４．１，２４．２にねじ止めされる。
【００５４】
前端面で、２つの収容パーツ２４．１、２４．２は、軸方向に整列配置されたねじ２２．５、２２．６、２２．７、２２．８によって、フレーム１の支持板８にねじ止めされている。
【００５５】
図３において、下部収容パーツ２４．１は、軸受ブロック１６．１、１６．２を受ける凸面２５を有する。この形成物は、同時に指掛けを形成する。
【００５６】
スロットのような開口部２６は、ダイヤルの端領域が外部に突出可能なように、収容パーツ２４．１、２４．２の間にある。
【００５７】
加えて、図３の上部収容パーツ２４．２は、液晶ディスプレイ窓２７（例えば、投与量、ステップ数および／または使用されたチップまたはシリンジタイプを表示用）およびリフティング・レバーおよび作動レバー用スロット２８、２９を有する。
【００５８】
図４によれば、フレーム１は、４本のピン（単に２本が示される（３１．１、３１．２））によって軸受スリーブ９．１、９．２、９．３  ９．４に取り付けられるプランジャ握持レバー３０．１、３０．２を備えている。他の実施形態の場合には、２本のピンだけが、用いられる。さらに、環状ディスク形状のセンサ板３２は、シリンジ・フランジの上端のコードを走査するための支持板８上に配置される。センサ板３２は、シリンジ把持レバー３０．１、３０．２によってセンサ板３２に固定するシリンジのシリンダに係合するセンタリングリング３３を囲む。センタリングリングは、ＤＥ １０ ２００９ ０３４８９７ Ａにおいて開示されるセンタリングリングに対応する。
【００５９】
ラック３４は、滑り路１４に嵌入され、シリンジ・プランジャに接続されるシリンジ・プランジャまたはプランジャ・ロッドの上端を受け入れる下端にベル形状の座部本体３５を備えている。プランジャ握持レバーは、この座部本体３５に取り付けられる。好ましい実施例は、ラック３４の代わりにねじ螺杆を有する。
【００６０】
このシリンジ留め具の詳細は、ＥＰ ０ ６５６ ２２９ Ｂ１およびＵＳ ５，６２０，６６０Ａに記載されている。シリンジのシリンジ・フランジ上のコードを走査することに関する詳細は、ＥＰ ０ ６５７ ２１６ Ｂ１およびＵＳ ５，６２０，６６１Ａに記載されている。これらの記載内容は、引用文献として本出願に含まれる。作動レバー３６は、軸受ブロック１６．１，１６．２に取り付けられる。作動レバー３６は、２本のアームおよび２本の平行な当該アーム３６．１、３６．２にシャフト３８を案内するスロット３７．１、３７．２を有し、当該シャフト３８は、軸受ブロック１６．１、１６．２のベアリングアイ１７．１、１７．２に嵌入される。作動レバー３６は、上部で他の長手方向部材５．２、６．２の上端で、まっすぐなガイド４０．１、４０．２にガイドローラ３９．１、３９．２を介して、両側に案内される。作動ボタンは、図４の上に示す作動レバー３６の終端に配置されることができる。
【００６１】
作動レバー３６は、その２本のアーム３６．１、３６．２の間に、枢動可能に取り付けた歯止め４１を備えている。
【００６２】
ベアリングプレート１５とカバー４の間に、ダイヤル４３が、他の軸４２に回転可能に取り付けられている。
【００６３】
ダイヤル４３は、図４において、歯を備えているラック３４の上部側をカバーする調節スリーブ４３．１（またはカバー・ストリップ）（図６を参照）を備えている。調節スリーブの位置は、作動レバー３６が滑り路４０．１、４０．２によって規定される限度の範囲内で揺動するとき、歯止め４１が移動する範囲内でダイヤル４３によって調整可能にされている。ダイヤル４３を調整することによって、調節スリーブ４３．１の位置は、滑り路１４の上方で止め具に向かって進み、その後に歯に入り込む後方に定めることができる。
【００６４】
加えて、フレーム１は、シリンジを保持する枢軸位置にシリンダ握持レバーおよびプランジャ握持レバー３０．１、３０．２を押圧するばね手段を備えている。さらなるバネ手段は、図４に示される枢軸位置に作動レバー３６を押圧し、ラック３４の歯に対して、歯止め４１を押圧する。
【００６５】
ラック３４の下端は、ラックとリフティング・ボタンを接続可能な接続手段である。
【００６６】
プランジャ位置決め要素を形成する作動レバー３６、ラック３４、調節スリーブ４３．１およびリフティング・ボタンは、例えば、ＥＰ ２ ０３３ ７１２ Ａ１またはＵＳ２００９／１３９３５１ Ａ１に記載されている。上記内容は、先行文献として本出願に含まれる。
【００６７】
図４に記載の構成要素を備えているフレーム１は、製造の間、機能試験および較正を受けることができる。さらにまた、手動計量装置のプリセットは、組み立てステージで行うことができる。このとき、このステージで既に確認することができるハウジングの欠陥は、製品（このステージで）から取り除くことができるといった効果がある。これは、ハウジング材料の消費を減らす。さらにまた、これは、問題のタイプに応じて効果がある。すなわち、フレームに取り付けられる部品は、完璧な製品を作成するために取り外しおよび他の物と交換可能であり、または、交換に完璧な構成要素は、すでにフレームに備えられ、および、それらは他の手動計量装置を製造するのに利用することができる。
【００６８】
図５において、装備されたフレーム１は、装備されてないフレーム１を有する図３に図示するハウジング２４に嵌入される。作動ボタン４４およびリフトボタン４５は、取り付けられる。作動ユニット４４、４５およびダイヤルは、ハウジング２４から突出している。
【００６９】
シリンジが取り付けられるとき、軸方向の力は、ハウジング２４の広域に当接するフレーム１に支持板８を介して導かれる。リフトボタン４５および作動ボタン４４が作動されるとき、軸方向の力は、フレーム１によって吸収される。長時間の利用による疲労を遅延させることができるように、手動計量装置は、ユーザーの手に馴染むとともに、触感がよい。ポリプロピレンが用いられる場合、非常に良好な耐化学薬品性もあり、手動計量装置のハウジング２４には、ほこりを寄せ付けず、かつ、容易に清掃することができる。
【００７０】
図７および８に示される手動計量装置は、ピペット、すなわち、エアクッション変位装置であり、当該エアクッション変位装置は、ピペットチップに特定量の液体を吸引および液体を吐出するために、ピペットチップを備えることができる。
【００７１】
図７および８の計量装置は、間隔を置いて平行した長手部材４７、４８を有するフレーム４６を備えている。平行した長手方材４７、４８は、当該長手部材に垂直に位置合わせされたディスク形状の支持板４９により上部で互いに接続されており、下部では、ディスク形状の支持板５０によって互いに接続されている。さらにまた、長手部材４７、４８は、十字形ブレース５１によってそれらの端部を架橋されている。
【００７２】
長手部材４７、４８に沿って移動可能であり、シリンダ５２に対して周囲を封止されるように、プランジャ５３が配置されるシリンダ５２が、支持板の上部を固定する。
【００７３】
円錐（または、その代わりとして円筒状）ピン５４は、長手部材４７の長手方向に支持板５０の底部から突出し、ピペットチップは、そこで固定することができる。
【００７４】
シリンダ５２の内部は、ピン５４の下端の孔に支持板５０およびピン５４を通って延びる流路５６を介して接続される。
【００７５】
プランジャ５３は、２本の長手部材４７、４８の間の中心に配置されるリフティング・ロッド５７の上部で接続される。リフティング・ロッド５７は、軸受プレート４９の孔から、上方へ伸びる。
リフティング・ロッド５７は、上端に作動ボタン５８を備えている。
【００７６】
その中心で、十字形ブレース５１は、リフティング・ロッド５７が長手部材４７、４８に対して移動可能に案内される滑り路５９を有する。
【００７７】
軸受プレート４９の下方で、スラスト軸受６０が、リフティング・ロッド５７を固定する。螺旋スプリングの形の戻しばね６１は、下部で十字形ブレース５１に当接し、上部でスラスト軸受６０に当接する。
【００７８】
加えて、周縁ビード６２またはリフティング・ロッド５７の上部止めを規定する異なる設計の１個以上の突起は、リフティング・ロッド５７上の十字形ブレース５１の下に位置する。ビード６２が十字形ブレース５１の下部側に寄りかかるまで、それが上方へリフティング・ロッド５７を押圧するように、戻しばね６１は、初荷重が与えられている。図７および８に示す手動計量装置は、このホームポジションである。
【００７９】
加えて、手動計量装置は、長手部材４７、４８、軸受プレート４９、支持板５０および十字形ブレース５１から形成されるフレーム４６を覆うハウジング６３を備えている。ハウジング６３は、長手部材４７、４８の中央に、ほぼ２本のネジ６４、６５によって固定される。
【００８０】
加えて、小さいガイド突起６６、６７、６８、６９が、ハウジング６３の内部から前側および各長手部材４７、４８の後側まで伸びる。ガイド突起６６〜６９は、長手部材４７、４８のねじ６４、６５を上下にハウジング６３へと案内する。
【００８１】
ハウジング６３は、スリーブのようなフレーム４７、４８、４９、５０、５１を含む。この実施例では、ハウジング６３は、円筒形である。他のスリーブ形状でも可能である。
【００８２】
ハウジング６３は、例えば、上側にフレームを押している第１区画と下側にフレームを押している２区画からなる円筒部を備え、ネジ６３、６５の近くの領域で互いに重なり合っているこれら区画は、ネジ６４、６５によってフレーム４６に固定されている。あるいは、ハウジング６３は、長手部材４７、４８を通って延びている平面を２等分に分けられ、ハウジングの各半分が２本のネジ６４、６５によってフレーム４６に固定している。
【００８３】
ハウジング６３は、上部を上壁７０で軸受プレート４９を覆われ、下部を底壁７１で支持板５０を覆われている。上壁７０は、軸受プレート４９から短い距離にあり、底壁７１は、長さを調整可能にするための支持壁５０から短い距離にある。
【００８４】
フレーム４７、４８、４９、５０、５１は、剛性であるか硬い素材（好ましくはプラスチック）から成る。ハウジング６３は、薄くて柔らかい素材（好ましくはプラスチック（例えばポリプロピレン））から成る。
【００８５】
この手動計量装置は、最初にピン５４にピペットチップ５５を固定することで用いられる。ピペットチップ５５を通じて液体を吸引するために、プランジャ５３がシリンダ５２の下端に位置するまで、作動ボタン５８は下方へ押圧される。次に、ピペットチップ５５の下部開口は、液体に浸漬される。その後、作動ボタン５８は解除され、戻しバネ６１が、図７および８のホームポジションにプランジャ５３を有するリフティング・ロッド５７を戻す。これにより、液体は、下部開口を通じてピペットチップ５５に吸引される。
【００８６】
次に、ピペットチップ５５は、手動計量装置で持ち上げられ、液体を放出されることになっている異なる容器の方向に向けられる。作動ボタン５８が下方へ押圧されるとき、プランジャ５３は気柱を変位させ、ピペットチップ５５の中に吸引した液体５５を押圧する。
【００８７】
リフティング・ロッド５７の下方への移動は、接触部材要素７２によって制限される。そして、ビード６２は、リフティング・ロッドの下方移動で接触部材要素に当接する。図７の接触部材要素７２およびフレーム４６のバネ要素７３は、破線で示される。ビード６２が接触部材要素７２に当接した後、増加した力を作動ボタン５８に付与することによって、リフティング・ロッド５７のオーバーストロークを行うことが可能である。オーバーストロークは、ピペットチップ５５から残留する液体を噴き出すのに役に立つ。
【００８８】
この手動計量装置によれば、力は、ピペットチップ５５を取り付けるのときに発揮され、作動ボタン５８を作動させると、フレーム４６によって吸収される。フレーム４６上に配置されるハウジング６３によって、手動計量装置は、長時間の利用による疲労を遅延させることができるようにユーザーの手に馴染むとともに、触感がよい。加えて、ハウジング６３は、ポリプロピレンのような耐化学薬品性およびほこりを寄せ付けない耐性素材で構成することができる。
【００８９】
図７および８の手動計量装置は、ビード６２が十字形ブレース５１と接触し、ピストン止め５３がシリンダ５２の底に寄りかかるとき、投与量を固定することができる固定ボリューム・ピペットである。本発明は投与量を調整可能なピペットに関する。これらのピペットを利用することにより、リフティング・ロッド用の上部ストッパの位置は、投与量を変えるための設定器によって調節可能である。
【図１】
0006033628.tif 000002
【図２】
0006033628.tif 000003
【図３】
0006033628.tif 000004
【図４】
0006033628.tif 000005
【図５】
0006033628.tif 000006
【図６】
0006033628.tif 000007
【図７】
0006033628.tif 000008
【図８】
0006033628.tif 000009